(57)【要約】【課題】  開閉操作スイッチをアウトサイドハンドルに後付けする場合でも、外観品質に優れるとともに操作性にも優れた状態で押しボタン部を取り付けることができる開閉操作スイッチ取付構造を提供すること。【解決手段】  物理的入力を受けて変位する押しボタン部３２と、電気的信号を形成するスイッチ本体３１とを備えた開閉操作スイッチ３を、アウトサイドハンドル２の裏面に固定した開閉操作スイッチ取付構造において、押しボタン部３２を、スイッチ本体３１に変位可能に支持された第１押しボタン部３２１と、エスカッション２１のボタン貫通孔２１ａを貫通して取り付けられ、裏面の伝達面３２８が第１押しボタン部３２１の入力面３２３に当接あるいは近接されて配置された第２押しボタン部３２２とで構成し、スイッチ本体３１とエスカッション２１とで第２押しボタン部３２２の裏側フランジ３２５を挟んだ。【選択図】      図１
2005090087.tif 000002
【特許請求の範囲】
【請求項１】
車両のドアの車外側にアウトサイドハンドルが設けられ、
このアウトサイドハンドルの裏面に、ドアロック装置を施錠・解錠させる信号を形成する開閉操作スイッチがボルト・ナットで固定され、
この開閉操作スイッチは、アウトサイドハンドルを貫通して形成されたボタン貫通孔を通して車外に露出して車外側からの物理的入力を受けて変位する押しボタン部と、アウトサイドハンドルの裏面側に固定され、押しボタン部の変位に基づいて電気的信号を形成するスイッチ本体とを備えている開閉操作スイッチ取付構造において、
前記押しボタン部を、入力面により物理的入力を受けて前記スイッチ本体に変位可能に支持された第１押しボタン部と、前記アウトサイドハンドルのボタン貫通孔を貫通して取り付けられ、裏面の伝達面が前記第１押しボタン部の入力面に当接あるいは近接されて配置された第２押しボタン部とで、この第２押しボタン部を押すと第１押しボタン部がスイッチ本体に対して変位するよう構成し、
前記スイッチ本体とアウトサイドハンドルとで第２押しボタン部の裏面側の周囲を挟んだことを特徴とする開閉操作スイッチ取付構造。
【発明の詳細な説明】
【技術分野】
【０００１】
本発明は、車両のドアの施錠・解錠をドアのアウトサイドハンドルに取り付けた開閉操作スイッチを操作することにより電気的に行うものにおいて、開閉操作スイッチをアウトサイドハンドルに取り付ける構造に関する。
【背景技術】
【０００２】
従来、車両のドアに設けられたドアロックの施錠・解錠を電気的に行う技術が知られており、また、この電気的な施錠・解錠をドア外側面に設けられた押しボタン式の開閉操作スイッチを操作することで行う技術も知られている（例えば、特許文献１参照）。
また、前記開閉操作スイッチを予めドアのアウトサイドハンドルに組み付けることで、ドアアウタパネルに穴を開けないようにした技術も知られている。
【０００３】
上述のような押しボタン式の開閉操作スイッチをアウトサイドハンドルに取り付ける構造では、開閉操作スイッチの押しボタン部がアウトサイドハンドルの外表面に設けたボタン貫通孔に、外周の隙間が一定な状態で貫通するように位置決めをしてサブアッセンブリし、その開閉操作スイッチをサブアッセンブリしたアウトサイドハンドルをドアアウタパネルに設けられた作業孔に開閉操作スイッチの一部が入るようにドアアウタパネルの表面側から開閉操作スイッチごと取り付けている。
【特許文献１】特開２００２−１７５７３６号公報（図２）
【発明の開示】
【発明が解決しようとする課題】
【０００４】
ところが、アウトサイドハンドルを小型に形成した場合、ドアアウタパネルの表面側からアウトサイドハンドルを取り付けたときに、開閉操作スイッチがサブアッセンブリされていると、作業孔において開閉操作スイッチを通す部分をアウトサイドハンドルで覆い隠すことができない場合が生じる。
そこで、このような場合には、アウトサイドハンドルをアウタパネルにセットした後で、アウトサイドハンドルの取付ボルトを利用してドアアウタパネルの裏面側から開閉操作スイッチを後付けすることが考えられる。
この場合、ドアアウタパネルの裏面側から位置決め治具無しで取り付けるために、開閉操作スイッチをボルトとナットで締結するときに、その締結トルクが開閉操作スイッチに入力されて、開閉操作スイッチがアウトサイドハンドルに対して正規の位置から回動することがある。このように、開閉操作スイッチがアウトサイドハンドルに対して回動すると、アウトサイドハンドルに形成したボタン貫通孔を貫通した押しボタン部ではボタン貫通孔に対して正規位置からずれてしまい、この押しボタン部の外周とボタン貫通孔の内周との隙間が一定にならず、外観品質が低下するという問題が生じたり、押しボタン部の外周がボタン貫通孔の内周に片当たりをして、動きが悪くなって、操作性が悪化するという問題が生じたりする。
なお、アウトサイドハンドルの裏面にロケートピンや押さえ爪を設けて、開閉操作スイッチの位置決めをすることは可能であるが、通常、押しボタン部の位置とオフセットした位置でボルトとナットの締結を行うため、その際のトルクで開閉操作スイッチが微妙に回動するのを止めるだけの精度を持たせることは難しく、上記外観品質の問題ならびに操作性の問題を解決することは難しい。
【０００５】
本発明は、上述のような従来の問題点に着目して成されたもので、開閉操作スイッチをアウトサイドハンドルに後付けする場合でも、外観品質に優れるとともに操作性にも優れた状態で押しボタン部を取り付けることができる開閉操作スイッチ取付構造を提供することを目的としている。
【課題を解決するための手段】
【０００６】
上述の目的を達成するべく、本願請求項１に記載の発明は、
車両のドアの車外側にアウトサイドハンドルが設けられ、
このアウトサイドハンドルの裏面に、ドアロック装置を施錠・解錠させる信号を形成する開閉操作スイッチがボルト・ナットで固定され、
この開閉操作スイッチは、アウトサイドハンドルを貫通して形成されたボタン貫通孔を通して車外に露出して車外側からの物理的入力を受けて変位する押しボタン部と、アウトサイドハンドルの裏面側に固定され、押しボタン部の変位に基づいて電気的信号を形成するスイッチ本体とを備えている開閉操作スイッチ取付構造において、
前記押しボタン部を、入力面により物理的入力を受けて前記スイッチ本体に変位可能に支持された第１押しボタン部と、前記アウトサイドハンドルのボタン貫通孔を貫通して取り付けられ、裏面の伝達面が前記第１押しボタン部の入力面に当接あるいは近接されて配置された第２押しボタン部とで、この第２押しボタン部を押すと第１押しボタン部がスイッチ本体に対して変位するよう構成し、
前記スイッチ本体とアウトサイドハンドルとで第２押しボタン部の裏面側の周囲を挟んだことを特徴とする手段とした。
【発明の効果】
【０００７】
本発明では、開閉操作スイッチの第２押しボタン部のみを予めアウトサイドハンドルのボタン貫通孔に貫通状態で取り付けておく。したがって、アウトサイドハンドルおよびドアアウタパネルに形成した作業孔を小型に形成して、ドアアウタパネルの作業孔において開閉操作スイッチを通す部分を確保できない場合でも、アウトサイドハンドルに開閉操作スイッチを取り付けることができる。
このようにして、アウトサイドハンドルをドアアウタパネルにセットした後で、スイッチ本体をアウトサイドハンドルに対してボルト・ナットで取り付け、この取付状態では、スイッチ本体に支持された第１押しボタン部の入力面が第２押しボタン部の裏面の伝達面に当接あるいは近接される。
このように、第１押しボタン部と第２押しボタン部とは、当接あるいは近接されるため、スイッチ本体をボルト・ナットによりアウトサイドハンドルに取り付ける際に、その締結トルクによりスイッチ本体の位置がアウトサイドハンドルに対して正規の位置からずれた場合、アウトサイドハンドルに取り付けられた第２押しボタン部に対して第１押しボタン部の位置が相対的に多少ずれることになるだけであり、第２押しボタン部はアウトサイドハンドルに対して一定の状態に保たれ、第２押しボタン部の外周とアウトサイドハンドルのボタン貫通孔の内周との関係が一定に保たれ、隙間の量が変化して外観品質が低下したり、片当たりして操作性が悪くなったりすることがない。
また、スイッチ本体をアウトサイドハンドルに固定した状態では、第２押しボタン部の裏面が、アウトサイドハンドルの裏面とスイッチ本体とで挟まれるため、第２押しボタン部はアウトサイドハンドルにしっかりと固定される。
以上のようにして取付を終了した開閉操作スイッチにあっては、アウトサイドハンドルのボタン貫通孔から露出した第２押しボタン部を車外側から押すと、この第２押しボタン部の裏面の伝達面が車内方向へ変位して第１押しボタン部の入力面を押し、これにより第１押しボタン部がスイッチ本体に対して押し込まれ、スイッチ本体で電気信号が形成される。
【０００８】
以上のように、本発明では、スイッチ本体をボルト・ナットでアウトサイドハンドルに後付で締結する際に、その締結トルクによりスイッチ本体がアウトサイドハンドルに対して正規の位置から回動しても、アウトサイドハンドルを貫通する第２押しボタン部は、回動することなくアウトサイドハンドルに対して一定の取付状態に保たれ、良好な外観品質を保つことができるとともに、片当たりが生じて操作性が悪化するといったことがな無いという効果が得られる。
また、第２押しボタン部の裏面が、アウトサイドハンドルの裏面とスイッチ本体とで挟まれるため、第２押しボタン部はアウトサイドハンドルにしっかりと固定され、操作性を良好に保つことができるとともに、経年劣化により取付不良となるのを防止することができるという効果が得られる。
【発明を実施するための最良の形態】
【０００９】
以下に、発明を実施するための最良の形態について図面に基づいて説明する。図１は実施の形態の開閉操作スイッチ取付構造の要部を示す断面図、図２は実施の形態の開閉操作スイッチ取付構造を示す側面図、図３は実施の形態の開閉操作スイッチ取付構造の要部を示す斜視図、図４は実施の形態の開閉操作スイッチ取付構造におけるアウトサイドハンドルを示す側面図、図５は実施の形態の開閉操作スイッチにおける取付ブラケットに開閉操作スイッチを取り付けた状態を示す斜視図である。
【００１０】
図３はドアアウタパネル１を車内側から見ているもので、このドアアウタパネル１には、車内側に凹んだ凹部１１が形成されているとともに、この凹部１１の上側に大口径の第１作業孔１２と、この第１作業孔１２を挟んで前後（図において矢印ＦＲを車両前後方向とする）に設けられた一対の縦長の取付孔１３，１３と、その隣の小口径の第２作業孔１４とが開口されている。
【００１１】
前記凹部１１には、アウトサイドハンドル２が取り付けられる。このアウトサイドハンドル２は、図外のドアロック装置のロックを解除する操作を行うものであり、このアウトサイドハンドル２の車体側方から見た側面図である図４に示すように、前記ドアアウタパネル１に固定されるエスカッション２１と、このエスカッション２１に対して上下方向に回動するハンドル部２２と、このハンドル部２２に連結されてハンドル部２２の回動を図外のドアロック装置に伝達するためのアーム２３とを備えている。
また、前記エスカッション２１の長手方向の一端部には、ボタン貫通孔２１ａがエスカッション２１を貫通して形成され、さらに、前記エスカッション２１の裏面には、図２および図３に示すように、前後に一対の取付ボルト２１ｂ（２本のうちの１本のみを図示している）が車内方向に立設されているとともに、前記ボタン貫通孔２１ａの近傍位置には、ロケートピン２１ｃが車内方向に立設されている。
なお、前記アウトサイドハンドル２は、一対の取付ボルト２１ｂ，２１ｂをそれぞれ、ドアアウタパネル１の取付孔１３に挿通させて、裏側からナット２１ｄ，２１ｄを締結させることで、ドアアウタパネル１に固定される。
【００１２】
また、前記アウトサイドハンドル２のエスカッション２１の裏面には、前記第２作業孔１４の位置に、開閉操作スイッチ３が取り付けられる。
この開閉操作スイッチ３は、図外のドアロック装置の施錠・解錠を切り替える電気信号を形成するもので、図１に示すように、スイッチ本体３１と、押しボタン部３２とを備え、さらに、この押しボタン部３２は、第１押しボタン部３２１と第２押しボタン部３２２とを備えている。
【００１３】
前記スイッチ本体３１は、金属などにより板状に形成された取付ブラケット４に取り付けられており、図１に示すように、この取付ブラケット４を、前記取付ボルト２１ｂおよびナット２１ｄにより前記エスカッション２１とドアアウタパネル１に共締めすることで、前記スイッチ本体３１がエスカッション２１およびドアアウタパネル１に対して固定されている。
すなわち、前記取付ブラケット４は、前記エスカッション２１の長手方向端部においてエスカッション２１よりも上下方向に大きな寸法の略長方形形状に形成され、図５に示すように、前記取付ボルト２１ｂが挿通されるボルト挿通孔４１と、スイッチ本体３１を固定する図外のねじを挿通させるねじ穴４２と、前記ロケートピン２１ｃを挿通させて前記エスカッション２１に対する位置決めを行うロケート穴４４とが形成されている。
前記スイッチ本体３１は、図５に示すように、上下にフランジ３１ａ，３１ｂが形成されており、また、図１に示すように、スイッチ本体３１の裏面には突起３１ｄが形成されている。そして、前記突起３１ｄを前記取付ブラケット４に形成された係合穴４３に差し込んだ状態で、上側のフランジ３１ａに形成されたねじ挿通穴３１ｃに挿通させた図外のねじを前記取付ブラケット４のねじ穴４２に螺合させることで、スイッチ本体３１が取付ブラケット４に固定される。
なお、上述のように、取付ブラケット４の上下寸法がエスカッション２１の上下寸法よりも大きく形成されているため、エスカッション２１に取付ブラケット４およびスイッチ本体３１を取り付けた状態では、車外側から第２作業孔１４を挿通させることができない。このため、後述するように、取付ブラケット４およびスイッチ本体３１は、アウトサイドハンドル２をドアアウタパネル１に組み付けた後に組み付けるようにしている。
【００１４】
前記スイッチ本体３１の中央部分には、第１押しボタン部３２１が車両内外方向（図１において矢印ＬＲ方向）に移動可能に支持されているとともに、前記第１押しボタン部３２１は、図示を省略した付勢手段によりスイッチ本体３１から突出する方向に付勢されている。
すなわち、前記第１押しボタン部３２１は、車外方向を向いた入力面３２３を有し、この入力面３２３において車内方向に物理的な入力を受けると、第１押しボタン部３２１が図示を省略した付勢手段の付勢力に抗してスイッチ本体３１に対して車内方向に変位し、この変位によりスイッチ本体３１の内部に設けられた接点が閉じられるかあるいは開かれるかして電気的な信号が形成されるよう構成されている。
【００１５】
前記第２押しボタン部３２２は、前記第１押しボタン部３２１の車外側に配置されて、前記エスカッション２１のボタン貫通孔２１ａに取り付けられている。この第２押しボタン部３２２は、シリコンゴム、ゴム、樹脂などの弾性変形可能な素材により形成され、その外周に形成された表側フランジ３２４と裏側フランジ３２５とで、前記ボタン貫通孔２１ａの内周縁を挟んでボタン貫通孔２１ａに取り付けられている。
また、前記第２押しボタン部３２２は、前記エスカッション２１への取付状態においてエスカッション２１の表面から僅かに盛り上がった湾曲形状を成した押圧操作部３２６と、この押圧操作部３２６の裏面から突出された操作力伝達部３２７とを備え、この操作力伝達部３２７において車内方向を向いた面である伝達面３２８が前記第１押しボタン部３２１の入力面３２３に当接あるいは近接されている。
また、前記第２押しボタン部３２２の裏側フランジ３２５は、前記スイッチ本体３１の一部とエスカッション２１との間に挟まれる。なお、スイッチ本体３１の一部とは、図２においてボタン貫通孔２１ａの右隣に配置された円形の凸部３１１と、前記スイッチ本体３１においてボタン貫通孔２１ａの左隣に配置された部分である。すなわち、前記エスカッション２１は、前後方向で湾曲した形状となっていて図１，図２において左端ほど車体内側に変位した形状となっているため、前記スイッチ本体３１の左端部とエスカッション２１との間隔が狭く、前記第２押しボタン部３２２の裏側フランジ３２５はスイッチ本体３１とエスカッション２１との間に挟まれる。一方、前記スイッチ本体３１の図１，図２における右端部では、エスカッション２１との間隔が拡がるため、スイッチ本体３１の端部に車外方向に凸となった前記凸部３１１を形成し、この凸部３１１の先端面とエスカッション２１とで前記裏側フランジ３２５を挟むようにしている。
【００１６】
次に、開閉操作スイッチの組付手順について説明する。
予めアウトサイドハンドル２のエスカッション２１のボタン貫通孔２１ａに第２押しボタン部３２２を取り付けておく。ちなみに、この取り付けは、図１に示すように、第２押しボタン部３２２の外周の両フランジ部３２４，３２５によりボタン貫通孔２１ａの内周縁を挟むことで行う。
また、予め取付ブラケット４に、第１押しボタン部３２１と一体となったスイッチ本体３１をねじ止めしておく。なお、スイッチ本体３１は、図１に示すように突起３１ｄを係合穴４３に差し込むことにより位置決めが成される。
【００１７】
次に、アウトサイドハンドル２の一対の取付ボルト２１ｂをドアアウタパネル１の取付孔１３，１３に挿通させてアウトサイドハンドル２をドアアウタパネル１に組み付け、取付ボルト２１ｂにナット２１ｄを締結させるが、このとき、スイッチ本体３１を組み付けた取付ブラケット４を共締めすることで、アウトサイドハンドル２に、第１押しボタン部３２１を含むスイッチ本体３１を組み付け固定する。なお、この時、取付ブラケット４のロケート穴４４にエスカッション２１に突設されたロケートピン２１ｃを差し込むことにより、取付ブラケット４の位置決めが成される。
この組付状態で、図１に示すように、スイッチ本体３１に支持された第１押しボタン部３２１の入力面３２３が、予めエスカッション２１に取り付けられている第２押しボタン部３２２の伝達面３２８に当接あるいは近接されるとともに、第２押しボタン部３２２の裏側フランジ３２５は、図１に示すように、スイッチ本体３１とエスカッション２１との間に挟まれ、第２押しボタン部３２２は、エスカッション２１に対してしっかりと固定される。
【００１８】
また、上述のように取付ボルト２１ｂとナット２１ｄを締結させて取付ブラケット４を共締めしたときに、取付ブラケット４がナット２１ｄの締結時のトルクに引きずられて取付ボルト２１ｂを中心に微少回動することがある。この場合、取付ブラケット４に取り付けられた第１押しボタン部３２１も微少回動するが、第２押しボタン部３２２は第１押しボタン部３２１とは別体であるから、第２押しボタン部３２２がエスカッション２１に対して回動することは無いとともに、この第２押しボタン部３２２の伝達面３２８は、第１押しボタン部３２１の入力面３２３に対して当接あるいは近接した状態に保たれる。
【００１９】
次に、開閉操作スイッチの使用時には、乗員は、エスカッション２１の表面に現れた第２押しボタン部３２２の押圧操作部３２６を車内方向に押す。これにより、第２押しボタン部３２２の裏側にある操作力伝達部３２７が車内方向に変位してその表面の伝達面３２８が第１押しボタン部３２１の入力面３２３を押し、第１押しボタン部３２１がスイッチ本体３１に対して車内方向へ変位し、これによりスイッチ本体３１において電気的な信号が形成され、図外のドアロック装置の施錠あるいは解錠が成される。
【００２０】
以上のように、本実施の形態では、スイッチ本体３１を取付ブラケット４と共にアウトサイドハンドル２のエスカッション２１に後付で締結する際に、その締結トルクによりスイッチ本体３１が取付ブラケット４と共にエスカッション２１に対して正規の位置から回動しても、アウトサイドハンドル２のエスカッション２１のボタン貫通孔２１ａに貫通して取り付けられた第２押しボタン部３２２は、回動することなくアウトサイドハンドル２のエスカッション２１に対して一定の取付状態に保たれ、良好な外観品質を保つことができるとともに、片当たりが生じて操作性が悪化するといったことがないという効果が得られる。
また、第２押しボタン部３２２の裏側フランジ３２５が、アウトサイドハンドル２のエスカッション２１の裏面とスイッチ本体３１とで挟まれるため、第２押しボタン部３２２はアウトサイドハンドル２のエスカッション２１にしっかりと固定され、操作性を良好に保つことができるとともに、経年劣化により取付不良となるのを防止することができるという効果が得られる。
【００２１】
以上、本発明の実施の形態を図面に基づき説明してきたが、具体的な構成については、この実施の形態に限られるものではなく、特許請求の範囲の請求項に記載した発明の要旨を逸脱しない限り、設計の変更や追加等は許容される。
【図面の簡単な説明】
【００２２】
【図１】実施の形態の開閉操作スイッチ取付構造の要部を示す断面図である。
【図２】実施の形態の開閉操作スイッチ取付構造を示す側面図である。
【図３】実施の形態の開閉操作スイッチ取付構造の要部を示す斜視図である。
【図４】実施の形態の開閉操作スイッチ取付構造におけるアウトサイドハンドルを示す側面図である。
【図５】実施の形態の開閉操作スイッチにおける取付ブラケットに開閉操作スイッチを取り付けた状態を示す斜視図である。
【符号の説明】
【００２３】
１    ドアアウタパネル
１１    凹部
１２    第１作業孔
１３    取付孔
１４    第２作業孔
２    アウトサイドハンドル
２１    エスカッション
２１ａ    ボタン貫通孔
２１ｂ    取付ボルト
２１ｃ    ロケートピン
２１ｄ    ナット
２２    ハンドル部
２３    アーム
３    開閉操作スイッチ
３１    スイッチ本体
３１ａ，３１ｂ    フランジ
３１ｃ    挿通穴
３１ｄ    突起
３２    ボタン部
４    取付ブラケット
４１    ボルト挿通孔
４２    ねじ穴
４３    係合穴
４４  ロケート穴
３１１    凸部
３２１    第１押しボタン部
３２２    第２押しボタン部
３２３    入力面
３２４    表側フランジ
３２５    裏側フランジ
３２６    押圧操作部
３２７    操作力伝達部
３２８    伝達面
【図１】
2005090087.tif 000003
【図２】
2005090087.tif 000004
【図３】
2005090087.tif 000005
【図４】
2005090087.tif 000006
【図５】
2005090087.tif 000007